(57)【要約】【課題】股下域に展開し難いタックを形成し、股下域の幅寸法を小さくして股下域を着用者の股間に納めることができるパンツ型の使い捨て着用物品を提供する。【解決手段】物品１Ａの股下域７には、第１脚周り側部１１から股下域７の中央７ａへ向かう一対の第１折曲線１９と、第２脚周り側部１２から股下域７の中央７ａへ向かう一対の第２折曲線２０とが形成されている。股下域７は、第１脚周り側部１１と第１折曲線１９とに囲繞された第１ゾーン２１と、第２脚周り側部１２と第２折曲線２０とに囲繞された第２ゾーン２２と、それらゾーン２１，２２を除く第３ゾーン２３とに区分されている。コア４の側縁４ａ近傍には、それらゾーン２１，２２を脚周り方向へ通過して第３ゾーン２３に達する第１および第２弾性部材２４，２５が収縮可能に取り付けられている。物品１Ａでは、それらゾーン２１，２２が弾性部材２４，２５の収縮力で脚周り方向内方へ引き寄せられて脚周り開口１５の内側へ凸となるタック２６，２７を形成している。【選択図】      図１
2004216082.tif 000002
【特許請求の範囲】
【請求項１】
互いに対向する前胴周り域および後胴周り域と、それら胴周り域の間に位置する股下域とを備え、前記前後胴周り域に幅方向へ延びる胴周り端部および縦方向へ延びる胴周り側部と、前記股下域に脚周り方向へ延びる第１および第２脚周り側部とを有し、前記胴周り側部が連結されて胴周り開口と一対の脚周り開口とが形成され、前記前後胴周り域と前記股下域とのうちの少なくとも該股下域に吸液性コアが配置されたパンツ型の使い捨て着用物品において、
前記股下域には、前記第１脚周り側部の前記前後胴周り域寄りに位置する２点から該股下域の中央に向かって幅方向へ延びる一対の第１折曲線と、前記第２脚周り側部の前記前後胴周り域寄りに位置する２点から該股下域の中央に向かって幅方向へ延びる一対の第２折曲線とが形成され、前記股下域が、前記第１脚周り側部と前記第１折曲線とに囲繞されて該股下域の中央へ向かって先細りの第１ゾーンと、前記第２脚周り側部と前記第２折曲線とに囲繞されて該股下域の中央へ向かって先細りの第２ゾーンと、前記第１および第２ゾーンを除く残余の第３ゾーンとに区分され、
前記第１ゾーンを脚周り方向へ通過して前記第３ゾーンに達する第１弾性部材が、前記第１脚周り側部に位置する前記コアの側縁近傍に収縮可能に取り付けられ、前記第２ゾーンを脚周り方向へ通過して前記第３ゾーンに達する第２弾性部材が、前記第２脚周り側部に位置する前記コアの側縁近傍に収縮可能に取り付けられ、
前記第１ゾーンが、前記第１弾性部材の収縮力で脚周り方向内方へ引き寄せられて前記脚周り開口の内側へ凸となるタックを形成し、前記第２ゾーンが、前記第２弾性部材の収縮力で脚周り方向内方へ引き寄せられて前記脚周り開口の内側へ凸となるタックを形成していることを特徴とする前記着用物品。
【請求項２】
所定の倍率に伸長した前記第１および第２弾性部材の長さ寸法を１００としたときのそれら弾性部材の収縮率が、２５〜７０％の範囲にある請求項１記載の着用物品。
【請求項３】
前記第１および第２弾性部材の伸長応力が、０．１〜３．０Ｎの範囲にある請求項１または請求項２に記載の着用物品。
【請求項４】
前記第１および第２ゾーンに位置する前記コアの剛性が、前記第３ゾーンに位置する前記コアのそれよりも低い請求項１ないし請求項３いずれかに記載の着用物品。
【請求項５】
前記コアが、前記第１および第２ゾーンに存在していない請求項１ないし請求項３いずれかに記載の着用物品。
【請求項６】
前記物品が、肌当接側に位置する透液性シートと、肌非当接側に位置する不透液性シートと、それらシートの間に介在する前記コアとから構成されている請求項１ないし請求項５いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
互いに対向する前後胴周り域と、それら胴周り域の間に位置する股下域とを備え、透液性シートおよび不透液性シートと、それらシートの間に介在して前後胴周り域間に延びる吸液性コアとから構成され、胴周り開口および一対の脚周り開口とを有し、股下域に脚周り開口の内側へ凸となるタックが形成されたパンツ型の使い捨て着用物品がある（特許文献１参照）。
【０００３】
特許文献１に開示の物品は、前後胴周り域に幅方向へ延びる胴周り端部および縦方向へ延びる胴周り側部と、股下域に脚周り方向へ延びる一対の脚周り側部とを有し、互いに重なり合う胴周り側部が縦方向へ並ぶ多数の熱融着線を介して固着されている。この物品には、脚周り側部間を幅方向へ横切って股下域の中央で交差する一対の折曲線が形成されている。股下域は、脚周り側部と折曲線とに囲繞された実質的に三角形状の第１および第２ゾーンと、それらゾーンを除く残余の第３ゾーンとに区分されている。この物品では、折曲線を介して第３ゾーンの間に折り込まれた第１および第２ゾーンが脚周り開口の内側へ凸となる一対のタックを形成している。この物品は、第１および第２ゾーンが第３ゾーンの間に折り込まれているので、それらゾーンを折り込む以前と比較し、股下域の幅寸法を小さくすることができる。
【０００４】
【特許文献１】
特開２００２−３５０３３号公報
【０００５】
【発明が解決しようとする課題】
前記特許文献１に開示の物品では、その着用時に着用者が両脚を物品の脚周り開口へとおすと、折曲線が折り返されてタックが展開し、股下域の幅寸法がタックを形成する以前に戻ってしまう。股下域の幅寸法がタックを形成する以前に戻ると、股下域の幅寸法が着用者の股間のそれよりも大きくなる場合があり、股下域が着用者の股間に納まらず、所定の厚みと剛性とを有するコアが嵩張って違和感がある。また、股下域の幅寸法が着用者の股間の幅寸法よりも大きくなると、股下域が着用者の股間に締め付けられ、股下域のコアが不規則に折れ曲がったり、コアに不規則な多数の皺が形成され、股下域における排泄物吸収機能が低下して股下域からの排泄物の横漏れの原因となる。
【０００６】
本発明の目的は、股下域に展開し難いタックを形成し、股下域の幅寸法を小さくして股下域を着用者の股間に納めることができるパンツ型の使い捨て着用物品を提供することにある。
【０００７】
【課題を解決するための手段】
前記課題を解決するための本発明の前提は、互いに対向する前胴周り域および後胴周り域と、それら胴周り域の間に位置する股下域とを備え、前記前後胴周り域に幅方向へ延びる胴周り端部および縦方向へ延びる胴周り側部と、前記股下域に脚周り方向へ延びる第１および第２脚周り側部とを有し、前記胴周り側部が連結されて胴周り開口と一対の脚周り開口とが形成され、前記前後胴周り域と前記股下域とのうちの少なくとも該股下域に吸液性コアが配置されたパンツ型の使い捨て着用物品である。
【０００８】
前記前提における本発明の特徴として、前記股下域には、前記第１脚周り側部の前記前後胴周り域寄りに位置する２点から該股下域の中央に向かって幅方向へ延びる一対の第１折線と、前記第２脚周り側部の前記前後胴周り域寄りに位置する２点から該股下域の中央に向かって幅方向へ延びる一対の第２折線とが形成され、前記股下域が、前記第１脚周り側部と前記第１折線とに囲繞されて該股下域の中央へ向かって先細りの第１ゾーンと、前記第２脚周り側部と前記第２折線とに囲繞されて該股下域の中央へ向かって先細りの第２ゾーンと、前記第１および第２ゾーンを除く残余の第３ゾーンとに区分され、前記第１ゾーンを脚周り方向へ通過して前記第３ゾーンに達する第１弾性部材が、前記第１脚周り側部に位置する前記コアの側縁近傍に収縮可能に取り付けられ、前記第２ゾーンを脚周り方向へ通過して前記第３ゾーンに達する第２弾性部材が、前記第２脚周り側部に位置する前記コアの側縁近傍に収縮可能に取り付けられ、前記第１ゾーンが、前記第１弾性部材の収縮力で脚周り方向内方へ引き寄せられて前記脚周り開口の内側へ凸となるタックを形成し、前記第２ゾーンが、前記第２弾性部材の収縮力で脚周り方向内方へ引き寄せられて前記脚周り開口の内側へ凸となるタックを形成していることにある。
【０００９】
本発明の実施の態様の一例としては、所定の倍率に伸長した前記第１および第２弾性部材の長さ寸法を１００としたときのそれら弾性部材の収縮率が２５〜７０％の範囲にある。
【００１０】
本発明の実施の態様の他の一例としては、前記第１および第２弾性部材の伸長応力が０．１〜３．０Ｎの範囲にある。
【００１１】
本発明の実施の態様の他の一例としては、前記第１および第２ゾーンに位置する前記コアの剛性が前記第３ゾーンに位置する前記コアのそれよりも低い。
【００１２】
本発明の実施の態様の他の一例としては、前記コアが前記第１および第２ゾーンに存在していない。
【００１３】
本発明の実施の態様の他の一例としては、前記物品が、肌当接側に位置する透液性シートと、肌非当接側に位置する不透液性シートと、それらシートの間に介在する前記コアとから構成されている。
【００１４】
【発明の実施の形態】
添付の図面を参照し、本発明に係るパンツ型の使い捨て着用物品の詳細を説明すると、以下のとおりである。
【００１５】
図１，２は、一例として示す着用物品１Ａの斜視図と、弾性部材２４，２５の収縮力に抗してタック２６，２７を展開した状態で示す図１の物品１Ａの斜視図とであり、図３，４は、胴周り側部１０の連結を解除した状態で示す図１の物品１Ａの部分破断展開平面図と、図１のＩＶ−ＩＶ線矢視断面図とである。図１〜３では、幅方向を矢印Ｌ、縦方向を矢印Ｍで示し、脚周り方向を矢印Ｎ（図１，２のみ）で示す。図３は、物品１Ａを幅方向と縦方向とへ伸長させた状態にある。なお、表面シート２や中間シート３、外装シート５の内面とは、コア４に対向する面をいい、それらシート２，３，５の外面とは、コア４に非対向の面をいう。
【００１６】
物品１Ａは、透液性表面シート２（透液性シート）および中間シート３と、それらシート２，３の間に介在する吸液性コア４と、中間シート３の外側に位置する不透液性外装シート５（不透液性シート）と、各伸縮性弾性部材１６，１７，１８，２４，２５とから構成されている。物品１Ａでは、コア４を挟んで表面シート２が肌当接側に位置し、中間シート３と外装シート５とが肌非当接側に位置している。物品１Ａは、互いに対向する前胴周り域６および後胴周り域８と、それら胴周り域６，８の間に位置する股下域７とを有する。コア４は、前後胴周り域６，８間に延び、それら域６，８の幅方向中央に配置されている。
【００１７】
物品１Ａは、コア４の両端縁４ａの外側に位置して前後胴周り域６，８を幅方向へ延びる胴周り端部９と、コア４の両側縁４ｂの外側に位置して前後胴周り域６，８を縦方向へ延びる胴周り側部１０と、コア４の両側縁４ｂの外側に位置して股下域７を脚周り方向へ延びる第１および第２脚周り側部１１，１２とを有する。第１および第２脚周り側部１１，１２は、物品１Ａの幅方向内方へ向かって弧を画いている。物品１Ａは、その展開平面形状が実質的に砂時計型を呈する。
【００１８】
物品１Ａでは、胴周り側部１０が合掌状に重なり合い、胴周り側部１０が縦方向へ間欠的に並ぶ多数の熱融着線１３を介して固着されている。物品１Ａには、胴周り端部９に囲繞された胴周り開口１４と、第１および第２脚周り側部１１，１２に囲繞された一対の脚周り開口１５とが形成されている。
【００１９】
胴周り端部９には、幅方向へ延びる帯状の胴周り用弾性部材１６が収縮可能に取り付けられている。第１および第２脚周り側部１１，１２には、脚周り方向へ延びる複数条の脚周り用弾性部材１７，１８が収縮可能に取り付けられている。
【００２０】
股下域７には、図２，３に示すように、第１脚周り側部１１の前後胴周り域６，８寄りに位置する２点Ｐ１，Ｐ２から股下域７の幅方向中央７ａへ向かって幅方向へ延びる一対の第１折曲線１９と、第２脚周り側部１２の前後胴周り域６，８寄りに位置する２点Ｐ３，Ｐ４から股下域７の幅方向中央７ａへ向かって幅方向へ延びる一対の第２折曲線２０とが形成されている。第１折曲線１９は、股下域７の中央７ａから第１脚周り側部１１に向かって略Ｖ字を画いている。第２折曲線２０は、股下域７の中央７ａから第２脚周り側部１２に向かって略Ｖ字を画いている。
【００２１】
股下域７は、第１脚周り側部１１と第１折曲線１９とに囲繞された第１ゾーン２１と、第２脚周り側部１２と第２折曲線２０とに囲繞された第２ゾーン２２と、第１および第２ゾーン２１，２２を除く残余の第３ゾーン２３とに区分されている。第１ゾーン２１は、第１脚周り側部１１から股下域７の中央７ａに向かって先細りの略三角形状を呈する。第２ゾーン２２は、第２脚周り側部１２から股下域７の中央７ａに向かって先細りの略三角形状を呈する。第１および第２ゾーン２１，２２では、そこに位置するコア４の剛性が第３ゾーン２３に位置するコア４のそれよりも低い。
【００２２】
第１脚周り側部１１に位置するコア４の側縁４ｂ近傍には、所定の倍率に伸長させた第１弾性部材２４が収縮可能に取り付けられている。第１弾性部材２４は、脚周り用弾性部材１７，１８の幅方向内方に位置して脚周り方向へ延び、第１ゾーン２１を脚周り方向へ通過して第３ゾーン２３に達している。第２脚周り側部１２に位置するコア４の側縁４ｂ近傍には、所定の倍率に伸長させた第２弾性部材２５が収縮可能に取り付けられている。第２弾性部材２５は、脚周り用弾性部材１７，１８の幅方向内方に位置して脚周り方向へ延び、第２ゾーン２２を脚周り方向へ通過して第３ゾーン２３に達している。第１および第２弾性部材２４，２５は、表面シート２とコア４との間に介在し、それらに固着されている。
【００２３】
股下域７では、第１弾性部材２４の収縮力によって第１ゾーン２１が脚周り方向内方へ引き寄せられ、第２弾性部材２５の収縮力によって第２ゾーン２２が脚周り方向内方へ引き寄せられており、股下域７が第１および第２折曲線１９，２０で折曲されている。股下域７では、第１ゾーン２１が脚周り開口１５の内側へ凸となるタック２６を形成し、第２ゾーン２２が脚周り開口１５の内側へ凸となるタック２７を形成している。第１ゾーン２１と第２ゾーン２２とは、第３ゾーン２３の間に折り込まれている。第１ゾーン２１では、その前半部２１ａと後半部２１ｂとが互いに当接し、ゾーン２１に延びる外装シート５の外面どうしが当接している。第２ゾーン２では、その前半部２２ａと後半分２２ｂとが互いに当接し、ゾーン２２に延びる外装シート５の外面どうしが当接している。第１および第２ゾーン２１，２２では、それらゾーン２１，２２の間を幅方向へ延びる仮想の第３折曲線２８が形成される。ただし、第１および第２ゾーン２１，２２の間に第３折曲線２８が形成されることなく、第１および第２弾性部材２４，２５によって脚周り方向内方へ引き寄せられたそれらゾーン２１，２２が脚周り開口１５の内側へ向かって湾曲する場合もある。
【００２４】
所定の倍率に伸長した第１および第２弾性部材２４，２５の長さ寸法を１００としたときのそれら弾性部材２４，２５の収縮率は、２５〜７０％の範囲にあり、第１および第２弾性部材２４，２５の伸長応力は、０．１〜３．０Ｎの範囲にある。ここで、収縮率は、それら弾性部材２４，２５を所定倍率に伸長したときの長さ寸法をＡ、それら弾性部材２４，２５が収縮したときの長さ寸法をＢとし、｛（Ａ−Ｂ）／Ａ｝×１００で算出した値である。
【００２５】
弾性部材２４，２５の収縮率が２５％未満では、伸長状態から収縮した弾性部材２４，２５の収縮寸法が小さく、第１および第２ゾーン２１，２２を脚周り方向内方へ十分に引き寄せることができず、股下域７にタック２６，２７を形成することができない場合がある。弾性部材２４，２５の伸長応力が０．１Ｎ未満では、弾性部材２４，２５の収縮力によってタック２６，２７を維持することができず、物品１Ａを着用したときに第１および第２折曲線１９，２０が折り返されてタック２６，２７が容易に展開し、股下域７がタック２６，２７を形成する以前の状態に戻ってしまう場合がある。
【００２６】
表面シート２と中間シート３とは、平面形状が略矩形を呈し、前後胴周り域６，８間に延びている。それらシート２，３は、コア４の両端縁４ａから縦方向外方へ延びる両端部２ａ，３ａと、コア４の両側縁４ｂから幅方向外方へ延びる両側部２ｂ，３ｂとを有する。両端部２ａ，３ａと両側部２ｂ，３ｂとでは、重なり合うそれらシート２，３の内面どうしが固着されている。それらシート２，３の両側部２ｂ，３ｂは、前後胴周り域６，８においてコア４の上面の側へ向かって幅方向内方へ折曲され、シート２の両側部２ｂが両端部２ａに固着されている。中間シート３は、その外面が外装シート５の内面に固着されている。コア４は、表面シート２と中間シート３との内面に接合されている。
【００２７】
外装シート５は、互いに重なり合った状態で固着された２枚の疎水性繊維不織布２９，３０から形成されている。外装シート５は、その面積が表面シート２や中間シート３のそれよりも大きく、その平面形状が実質的に砂時計型を呈する。胴周り端部９と胴周り側部１０とは、外装シート５から形成され、脚周り側部１１，１２は、シート２，３の両側部２ｂ，３ｂと外装シート５とから形成されている。
【００２８】
胴周り用弾性部材１６は、外装シート５を形成する不織布２９，３０の間に介在し、それら不織布２９，３０に固着されている。脚周り用弾性部材１７，１８は、外装シート５に取り付けられた弾性部材１７と、表面シート２および中間シート３に取り付けられた弾性部材１８とから形成されている。弾性部材１７は、不織布２９，３０の間に介在し、それら不織布２９，３０に固着されている。弾性部材１８は、表面シート２と中間シート３との間に介在し、それらシート２，３の両側部２ｂ，３ｂの内面に固着されている。それら弾性部材１７，１８は、脚周り側部１１，１２に沿って実質的に環状を形成している。
【００２９】
コア４は、フラッフパルプと高吸収性ポリマー粒子との混合物、または、フラッフパルプと高吸収性ポリマー粒子と熱可塑性合成樹脂繊維との混合物であり、所定の厚みに圧縮されている。ゆえに、コア４は、その剛性が表面シート２や中間シート３、外装シート５のそれよりも高い。コア４は、それの型崩れやポリマー粒子の脱落を防止するため、全体がティッシュペーパーや親水性繊維不織布等の透液性シートに包被されていることが好ましい。
【００３０】
第１および第２ゾーン２１，２２に位置するコア４の剛性を第３ゾーン２３に位置するコア４のそれよりも低くするには、第１および第２ゾーン２１，２２に位置するコア４の坪量を第３ゾーン２３に位置するコア４のそれよりも少なくしたり、第１および第２ゾーン２１，２２に位置するコア４の密度を第３ゾーン２３に位置するコア４のそれよりも小さくすればよい。
【００３１】
物品１Ａは、股下域７において第１および第２ゾーン２１，２２が脚周り開口１５の内側へ向かって凸となるタック２６，２７を形成しているので、股下域７にタック２６，２７が形成されていない場合（図２参照）と比較し、股下域７の幅寸法を小さくすることができる。物品１Ａでは、第１および第２弾性部材２４，２５の収縮力によってタック２６，２７が維持されるので、着用者が両脚を脚周り開口１５にとおしたとしても、タック２６，２７が不用意に展開してしまうことはない。
【００３２】
物品１Ａは、それを着用したときに、股下域７が着用者の股間に納まるので、股下域７が嵩張ることはなく、着用した物品１Ａに対する違和感がない。物品１Ａは、その股下域７が着用者の股間によって締め付けられたとしても、股下域７のコア４が不規則に折れ曲がることはなく、コア４に不規則な多数の皺が形成されることもないので、股下域７における排泄物吸収機能が低下せず、股下域７からの排泄物の横漏れを防ぐことができる。
【００３３】
物品１Ａでは、図３に示すように、第１折曲線１９どうしのなす角度θ１と第２折曲線２０どうしのなす角度θ２とが３０〜１２０°の範囲にあることが好ましい。角度θ１，θ２が３０°未満では、第１および第２ゾーン２１，２２が小さくなり、股下域７に大きなタック２６，２７を作ることができず、股下域７の幅寸法を小さくすることができない。角度θ１，θ２が１２０°を超過すると、第１および第２折曲線２１，２２が胴周り側部１０に達し、第１および第２弾性部材２４，２５の収縮力によって第１および第２ゾーン２１，２２を脚周り方向内方へ引き寄せることができず、股下域７にタック２６，２７を形成することができない。
【００３４】
物品１Ａでは、第１および第２ゾーン２１，２２が脚周り開口１５の内側に向かうタック２６，２７を形成することで、図４に示すように、それらゾーン２１，２２が胴周り開口１４へ向かって起立する。物品１Ａでは、起立したそれらゾーン２１，２２が排泄物に対する障壁を形成するので、第１および第２ゾーン２１，２２からの排泄物の横漏れを防ぐことができる。物品１Ａでは、股下域７の幅寸法を小さくしたとしても、第１および第２ゾーン２１，２２に位置するコア４が排泄物を吸収、保持するので、股下域７における排泄物吸収機能が低下することはない。
【００３５】
物品１Ａは、弾性部材２４，２５の収縮力に抗してタック２６，２７が展開したときに、シート２，３の両側部２ｂ，３ｂが弾性部材１８の脚周り方向内方への収縮によってコア４の上方へ起立する。物品１Ａは、タック２６，２７が展開したとしても、起立したそれらシート２，３の両側部２ｂ，３ｂが排泄物に対する障壁を形成するので、股下域７から排泄物が漏れてしまうことはない。
【００３６】
図５，６は、他の一例として示す着用物品１Ｂの斜視図と、弾性部材２４，２５の収縮力に抗してタック２６，２７を展開した状態で示す図５の物品１Ｂの斜視図とであり、図７，８は、胴周り側部１０の連結を解除した状態で示す図５の物品１Ｂの部分破断展開平面図と、図５のＶＩＩＩ−ＶＩＩＩ線矢視断面図とである。図５〜７では、幅方向を矢印Ｌ、縦方向を矢印Ｍで示し、脚周り方向を矢印Ｎ（図５，６のみ）で示す。図７は、物品１Ｂを幅方向と縦方向とへ伸長させた状態にある。
【００３７】
物品１Ｂは、透液性表面シート２（透液性シート）と、不透液性外装シート５（不透液性シート）と、それらシート２，５の間に介在する吸液性コア４と、各伸縮性弾性部材１６，１７，１８，２４，２５とから構成されている。物品１Ｂでは、コア４を挟んで表面シート２が肌当接側に位置し、外装シート５が肌非当接側に位置している。物品１Ｂは、互いに対向する前後胴周り域６，８と、それら胴周り域６，８の間に位置する股下域７とを有する。コア４は、前後胴周り域６，８間に延び、それら域６，８の幅方向中央に配置されている。
【００３８】
物品１Ｂは、幅方向へ延びる胴周り端部９と、縦方向へ延びる胴周り側部１０と、脚周り方向へ延びる第１および第２脚周り側部１１，１２とを有する。第１および第２脚周り側部１１，１２は、物品１Ｂの幅方向内方へ向かって弧を画いている。物品１Ｂでは、胴周り側部１０が合掌状に重なり合い、胴周り側部１０が縦方向へ間欠的に並ぶ多数の熱融着線１３を介して固着されている。物品１Ｂには、胴周り開口１４と一対の脚周り開口１５とが形成されている。
【００３９】
胴周り端部９には、幅方向へ延びる帯状の胴周り用弾性部材１６が収縮可能に取り付けられている。第１および第２脚周り側部１１，１２には、脚周り方向へ延びる複数条の脚周り用弾性部材１７，１８が収縮可能に取り付けられている。
【００４０】
股下域７には、図６に示すように、第１脚周り側部１１の前後胴周り域６，８寄りに位置する２点Ｐ１，Ｐ２から股下域７の幅方向中央７ａに向かって幅方向へ延びる一対の第１折曲線１９と、第２脚周り側部１２の前後胴周り域６，８寄りに位置する２点Ｐ３，Ｐ４から股下域７の幅方向中央７ａに向かって幅方向へ延びる一対の第２折曲線２０とが形成されている。
【００４１】
股下域７は、第１脚周り側部１１と第１折曲線１９とに囲繞された第１ゾーン２１と、第２脚周り側部１２と第２折曲線２０とに囲繞された第２ゾーン２２と、第１および第２ゾーン２１，２２を除く残余の第３ゾーン２３とに区分されている。第１および第２ゾーン２１，２２は、第１および第２脚周り側部１１，１２から股下域７の中央７ａに向かって先細りの略三角形状を呈する。第１および第２ゾーン２１，２２には、コア４が存在していない。
【００４２】
第１脚周り側部１１に位置するコア４の側縁４ｂ近傍には、所定の倍率に伸長させた第１弾性部材２４が収縮可能に取り付けられている。第１弾性部材２４は、脚周り用弾性部材１８の幅方向内方に位置して脚周り方向へ延び、第１ゾーン２１を脚周り方向へ通過して第３ゾーン２３に達している。第２脚周り側部１２に位置するコア４の側縁４ｂ近傍には、所定倍率に伸長させた第２弾性部材２５が収縮可能に取り付けられている。第２弾性部材２５は、脚周り用弾性部材１８の幅方向内方に位置して脚周り方向へ延び、第２ゾーン２２を脚周り方向へ通過して第３ゾーン２３に達している。第１および第２弾性部材２４，２５は、表面シート２と外装シート５との間に介在し、それらシート２，５の内面に固着されている。
【００４３】
股下域７では、第１弾性部材２４の収縮力によって第１ゾーン２１のが脚周り方向内方へ引き寄せられ、第２弾性部材２５の収縮力によって第２ゾーン２２が脚周り方向内方へ引き寄せられており、股下域７が第１および第２折曲線１９，２０で折曲されている。股下域７では、第１ゾーン２１が脚周り開口１５の内側へ凸となるタック２６を形成し、第２ゾーン２２が脚周り開口１５の内側へ凸となるタック２７を形成している。第１ゾーン２１と第２ゾーン２２とは、第３ゾーン２３の間に折り込まれている。第１ゾーン２１では、その前半分２１ａと後半分２１ｂとが互いに当接し、ゾーン２１に延びる外装シート５の外面どうしが当接している。第２ゾーン２２では、その前半分２２ａと後半部２２ｂとが互いに当接し、ゾーン２２に延びる外装シート５の外面どうしが当接している。第１および第２ゾーン２１，２２では、それらゾーン２１，２２の間を幅方向へ延びる仮想の第３折曲線２８が形成される。ただし、第１および第２ゾーン２１，２２の間に第３折曲線２８が形成されることなく、第１および第２弾性部材２４，２５によって脚周り方向内方へ引き寄せられたそれらゾーン２１，２２が脚周り開口１５の内側へ向かって湾曲する場合もある。
【００４４】
所定倍率に伸長した第１および第２弾性部材２４，２５の長さ寸法を１００としたときのそれら弾性部材２４，２５の収縮率と第１および第２弾性部材２４，２５の伸長応力とは、図１のそれらと同一である。
【００４５】
表面シート２は、その平面形状が略矩形を呈し、股下域７から前後胴周り域６，８へ延びている。表面シート２は、コア４の両端縁４ａから縦方向外方へ延びる両端部２ａと、コア４の両側縁４ｂから幅方向外方へ延びる両側部４ｂとを有する。表面シート２と外装シート５とは、それらシートの互いに重なり合う部分においてシートの内面どうしが固着されている。コア４は、図１のそれと同一のものであり、表面シート２と外装シート５との内面に接合されている。
【００４６】
外装シート５は、互いに重なり合う２枚の疎水性繊維不織布２９，３０とそれら不織布２９，３０の間に介在する通気不透液性プラスチックフィルム３１とから形成されている。外装シート５は、その面積が表面シート２のそれよりも大きく、その平面形状が実質的に砂時計型を呈する。フィルム３１は、その平面形状が略矩形を呈し、表面シート２と略同形同大であり、コア４の下方に配置されている。外装シート５では、不織布２９，３０どうしの互いに重なり合う部分が固着され、フィルム３１がそれら不織布２９，３０に固着されている。胴周り端部９と胴周り側部１０とは、外装シート５から形成され、脚周り側部１１，１２は、表面シート２の両側部２ｂと外装シート５とから形成されている。
【００４７】
胴周り用弾性部材１６は、外装シート５を形成する不織布２９，３０の間に介在し、それら不織布２９，３０に固着されている。脚周り用弾性部材１７，１８は、外装シート５に取り付けられた弾性部材１７と、表面シート２に取り付けられた弾性部材１８とから形成されている。弾性部材１７は、不織布２９，３０の間に介在し、それら不織布２９，３０に固着されている。弾性部材１８は、表面シート２の一部に被覆された状態で、シート２の両側部２ｂに固着されている。
【００４８】
物品１Ｂは、股下域７で第１および第２ゾーン２１，２２が脚周り開口１５の内側へ向かって凸となるタック２６，２７を形成しているので、股下域７の幅寸法を小さくすることができる。物品１Ｂでは、第１および第２弾性部材２４，２５の収縮力によってタック２６，２７が維持されるので、着用者が両脚を脚周り開口１５にとおしたとしても、タック２６，２７が不用意に展開してしまうことはない。
【００４９】
物品１Ｂは、それを着用したときに、股下域７が着用者の股間に納まるので、股下域７が嵩張ることはなく、着用した物品１Ｂに対する違和感がない。物品１Ｂは、その股下域７が着用者の股間によって締め付けられたとしても、股下域７のコア４が不規則に折れ曲がることはなく、コア４に不規則な多数の皺が形成されることもないので、股下域７における排泄物吸収機能が低下せず、股下域７からの排泄物の横漏れを防ぐことができる。物品１Ｂでは、図６に示すように、第１折曲線１９どうしのなす角度θ１と第２折曲線２０どうしのなす角度θ２とが３０〜１２０°の範囲にあることが好ましい。
【００５０】
物品１Ｂでは、図７に示すように、第１および第２ゾーン２１，２２が脚周り開口１５の内側に向かうタック２６，２７を形成することで、それらゾーン２１，２２が胴周り開口１４へ向かって起立し、起立したそれらゾーン２１，２２が排泄物に対する障壁を形成するので、股下域７からの排泄物の横漏れを防ぐことができる。
【００５１】
表面シート２には、親水性繊維不織布、多数の開孔を有する疎水性繊維不織布、微細な多数の開孔を有するプラスチックフィルムのいずれかを使用することができる。中間シート３には、親水性繊維不織布や疎水性繊維不織布、通気不透液性プラスチックフィルムのいずれかを使用することができる。中間シート３や外装シート５には、高い耐水性を有するメルトブローン法による繊維不織布の少なくとも片面に、高い強度と優れた柔軟性とを有するスパンボンド法による繊維不織布をラミネートした複合不織布を使用することもできる。
【００５２】
不織布としては、スパンレース、ニードルパンチ、メルトブローン、サーマルボンド、スパンボンド、ケミカルボンドの各製法により製造されたものを使用することができる。不織布の構成繊維としては、ポリオレフィン系、ポリエステル系、ポリアミド系の各繊維、ポリエチレン／ポリプロピレンやポリエチレン／ポリエステルからなる芯鞘型複合繊維または並列型複合繊維を使用することができる。
【００５３】
外装シート５には、伸縮性かつ疎水性の繊維不織布や伸縮性かつ通気不透液性のプラスチックフィルム、伸縮性かつ疎水性の繊維不織布と伸縮性かつ通気不透液性のプラスチックフィルムとを重ね合わせた複合シートのいずれかを使用することもできる。外装シート５には、熱可塑性エラストマー樹脂繊維からなる伸縮性かつ疎水性の繊維不織布の少なくとも片面に、ポリプロピレン、ポリエチレン、ポリエステルのいずれかの熱可塑性合成樹脂を溶融、紡糸した捲縮繊維からなる疎水性繊維不織布を重ね合わせた複合不織布を使用することもできる。伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。
【００５４】
シート２，３，５どうしの固着やシート２，３，５に対するコア４の接合、シート２，３，５に対する弾性部材１６，１７，１８，２４，２５の固着には、ホットメルト型接着剤、または、ヒートシールやソニックシール等の熱による溶着手段を利用することができる。
【００５５】
【発明の効果】
本発明にかかるパンツ型の使い捨て着用物品によれば、股下域において第１および第２ゾーンが脚周り開口の内側へ向かって凸となるタックを形成しているので、股下域にタックが形成されていない場合と比較し、股下域の幅寸法を小さくすることができる。物品では、第１および第２弾性部材の収縮力がタックを維持するので、着用者が両脚を脚周り開口にとおしたとしても、タックが不用意に展開してしまうことはない。
【００５６】
この物品は、それを着用したときに、股下域が着用者の股間に納まるので、股下域が嵩張ることはなく、着用した物品に対する違和感がない。物品は、その股下域が着用者の股間によって締め付けられたとしても、股下域のコアが不規則に折れ曲がることはなく、コアに不規則な皺が形成されることもないので、股下域における排泄物吸収機能が低下せず、股下域からの排泄物の横漏れを防ぐことができる。
【００５７】
第１および第２ゾーンに位置するコアの剛性が第３ゾーンに位置するコアのそれよりも低い物品では、第１および第２弾性部材の収縮力によって第１および第２ゾーンを容易に脚周り方向内方へ引き寄せることができ、股下域にタックを簡単に形成することができる。
【００５８】
コアが第１および第２ゾーンに存在していない物品では、第１および第２ゾーンにコアの剛性が作用しないので、第１および第２弾性部材の収縮力によって第１および第２ゾーンを容易に脚周り方向内方へ引き寄せることができ、股下域にタックを簡単に形成することができる。
【図面の簡単な説明】
【図１】一例として示す着用物品の斜視図。
【図２】弾性部材の収縮力に抗してタックを展開した状態で示す図１の物品の斜視図。
【図３】前後胴周り域の連結を解除した状態で示す図１の物品の部分破断展開平面図。
【図４】図１のＩＶ−ＩＶ線矢視断面図。
【図５】他の一例として示す着用物品の斜視図。
【図６】弾性部材の収縮力に抗してタックを展開した状態で示す図５の物品の斜視図。
【図７】前後胴周り域の連結を解除した状態で示す図５の物品の部分破断展開平面図。
【図８】図５のＶＩＩＩ−ＶＩＩＩ線矢視断面図。
【符号の説明】
１Ａ          パンツ型の使い捨て着用物品
１Ｂ          パンツ型の使い捨て着用物品
２            透液性表面シート（透液性シート）
３            中間シート
４            吸液性コア
５            不透液性外装シート（不透液性シート）
６            前胴周り域
７            股下域
８            後胴周り域
９            胴周り端部
１０            胴周り側部
１１            第１脚周り側部
１２            第２脚周り側部
１４            胴周り開口
１５            脚周り開口
１９            第１折曲線
２０            第２折曲線
２１            第１ゾーン
２１ａ          前半分
２１ｂ          後半分
２２            第２ゾーン
２２ａ          前半分
２２ｂ          後半分
２３            第３ゾーン
２４            第１弾性部材
２５            第２弾性部材
２６            タック
２７            タック
２８            第３折曲線
【図１】
2004216082.tif 000003
【図２】
2004216082.tif 000004
【図３】
2004216082.tif 000005
【図４】
2004216082.tif 000006
【図５】
2004216082.tif 000007
【図６】
2004216082.tif 000008
【図７】
2004216082.tif 000009
【図８】
2004216082.tif 000010